(57)【要約】      （修正有）【課題】低侵襲手術インプラント穴広げ装置を提供する。【解決手段】特に、順に内から外へ異なる内径の複数のスリーブが套接される穴広げスリーブモジュールで、案内棒の定位作用に合わせて、移植器１が、穴広げスリーブモジュールの最大直径のスリーブを通して、インプラント２の移植を必要とする脊椎骨箇所まで、到達し、インプラント２を、案内棒に沿って、入れ込んで、更に、移植器１を上下に、衝撃させることにより、正確に、インプラントを案内棒によって標定された正確位置に嵌入され、穴広げと案内の具体効果が得られ、脊椎骨の自体回復能力が、大幅に増大され、選択的に、異なる脊椎骨臨床ケースの治療や矯正リハビリに適用でき、また、手術過程において、有効に、創傷の開口面積が低減される。【選択図】図１
0003184283.tif 000002
【実用新案登録請求の範囲】
【請求項１】
貫通穴と回旋摘みがあり、上記移植器の一側に、二つの突出部が形成される移植器と、
空心ブロック体構造で、開孔と二つの凹部を有し、上記凹部が、移植器の突出部に対応して結合されるインプラントと、
円形棒構造で、上記移植器の貫通穴とインプラントの開孔に対応して貫設される案内棒と、
順に、内から外へ異なる内径の複数のスリーブが套接され、その中、最も外部のスリーブの内径が、移植器の外径よりも、やや大きく、最も内部のスリーブの内径が、案内棒の外径よりもやや大きい穴広げスリーブモジュールと、
が含有される、
ことを特徴とする低侵襲手術インプラント穴広げ装置。
【請求項２】
上記移植器の回旋摘みが、案内棒を取り締める作用を有することを特徴とする請求項1に記載の低侵襲手術インプラント穴広げ装置。
【請求項３】
上記穴広げスリーブモジュールの複数のスリーブの内径とその長さとが、反比例になることを特徴とする請求項1に記載の低侵襲手術インプラント穴広げ装置。
【考案の詳細な説明】
【技術分野】
【０００１】
本考案は、低侵襲手術インプラント穴広げ装置に関し、特に、順に内から外へ異なる内径の複数のスリーブが套接されることにより、穴広げ作用が得られて、インプラントの定位実装を補助できる低侵襲手術インプラント穴広げ装置に関する。
【背景技術】
【０００２】
従来の医療用穴広げ補助装置構造は、一部穴広げ構造設計で、脊椎骨の所定位置まで直通しないため、最先端の組織構造だけに対して穴広げを行い、移植器を直接に、選別的に、脊椎骨の臨床ケースの治療や矯正リハビリに適用することができない。
【０００３】
上記の、従来の医療用穴広げ補助装置は、1、一部穴広げ構造であるため、脊椎骨の所定位置まで直通できなく、2、最先端に対して穴広げを行い、移植器に適用されることができない、などの欠点がある。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案は、順に、内から外へ異なる内径の複数のスリーブが套接されることにより、穴広げ作用が実現され、インプラントの定位実測を補助できる低侵襲手術インプラント穴広げ装置を提供する。
【０００６】
本考案に係る低侵襲手術インプラント穴広げ装置によれば、1、完全穴広げ構造で、脊椎骨の所定位置まで直通でき、2、組織に対して均一に穴広げを行うため、移植きに適用でき、3、多段式スリーブの套接と移除が、ともに、便利であり、4、格別に設置された案内棒により、有効に、インプラントの嵌入位置を標定でき、及び5、移植器が、垂直的に力を印加できるだけでなく、案内棒移除機能を有する、などの利点が得られる。
【課題を解決するための手段】
【０００７】
請求項１の考案は、貫通穴と回旋摘みがあり、上記移植器の一側に、二つの突出部が形成される移植器と、空心ブロック体構造で、開孔と二つの凹部を有し、上記凹部が、移植器の突出部に対応して結合されるインプラントと、円形棒構造で、上記移植器の貫通穴とインプラントの開孔に対応して貫設される案内棒と、順に、内から外へ套接される異なる内径の複数のスリーブを有し、その中、最も外部のスリーブの内径が、移植器の外径よりも、やや大きく、最も内部のスリーブの内径が、案内棒の外径よりもやや大きい穴広げスリーブモジュールと、が含有される、ことを特徴とする低侵襲手術インプラント穴広げ装置である。
【０００８】
請求項2の考案は、上記移植器の回旋摘みが、案内棒を取り締める作用を有することを特徴とする請求項1に記載の低侵襲手術インプラント穴広げ装置である。
【０００９】
請求項3の考案は、上記穴広げスリーブモジュールの複数のスリーブの内径とその長さとが、反比例になることを特徴とする請求項1に記載の低侵襲手術インプラント穴広げ装置である。
【００１０】
以下、図面を参照しながら、本考案の特徴や技術内容について、詳しく説明するが、それらの図面等は、参考や説明のためであり、本考案は、それによって制限されることが無い。
【考案を実施するための形態】
【００１１】
図１のように、本考案は、移植器1とインプラント2、案内棒3及び穴広げスリーブモジュール4が備えられ、上記移植器1は、貫通穴11と回旋摘み12を有し、一側に、二つの突出部13が形成され、上記インプラント2は、空心ブロック体構造で、開孔21と二つの凹部22があり、上記凹部22が、移植器1の突出部13に対応して結合され、また、上記案内棒3は、円形棒構造で、上記移植器1の貫通穴11とインプラント2の開孔21に対応して貫設され、上記穴広げスリーブモジュール4(図３のように)は、順に、内から外へ異なる内径の複数のスリーブ41が套接され、最外部のスリーブ41の内径が、移植器1の外径よりも、やや大きく、最内部のスリーブ41の内径が、案内棒3の外径よりもやや大きく、上記の上記穴広げスリーブモジュール4の複数のスリーブ41は、その内径とその長さとが、反比例になる。上記移植器1の回旋摘み12は、案内棒3を取り締める作用を有する。
【００１２】
図2は、本考案の案内棒を入れ込み操作状態図であり、まず、案内棒3を表層の皮膚7から筋肉組織6を介して、脊椎骨5(その下が、軟組織になる)まで到達させ、正確的に必要とする位置に嵌入し、案内棒3は、正確位置を標示する作用を発揮できる。
【００１３】
図３は、本考案の各孔径のスリーブの操作状態図であり、穴広げスリーブモジュール4の各異なる内径の複数のスリーブ41を、順に、内から外へ、選択的に、内径を拡大するように、案内棒3に沿って套接させ、套接されたスリーブ41の長さが、少しずつ短くして(即ち、套接されたスリーブ41の構造は、内から外へ、細長から、太く短くなるようである)、套接されたスリーブ41の先端において、脊椎骨5に接近する箇所が錐状になるほかに、表層の皮膚7と筋肉組織6において、順に、多段に穴広げ作用が得られる。
【００１４】
図４は、本考案のインプラントの移植操作状態図1であり、特に、脊椎骨5の軟組織箇所に対して、移植手術を行い、図３のような套接された穴広げスリーブモジュール4の複数のスリーブ41を、一つずつ案内棒3から外へ取り出して、直径最大のスリーブ41(上記スリーブ41の内径が、移植器1の外径よりも大きい)だけが残され、インプラント2の開孔21を、案内棒3に向かせて、インプラント2を、案内棒3に沿って、底端によって標示される脊椎骨5の正確位置まで、下へ摺動させ、更に、移植器1の貫通穴11を、案内棒3に向かわせて、移植器1を、案内棒3に沿って、インプラント2に接触するように、下へ摺動させ、この時、移植器1の二つの突出部13が、インプラント2の二つの凹部22に対応して嵌入し、上下に、移植器1を振動させ、移植器1が、インプラント2に衝撃し、そのため、脊椎骨5の充填必要とする箇所に対応して嵌入し、そして、移植器1の回旋摘み12を締めるように回転させて案内棒3を締め、移植器1を移出する時、案内棒3が、一緒に移出され、最後に、スリーブ41を取り出して、皮膚7と筋肉組織6に対して、穴広げの作用と、インプラント2の実装との低侵襲手術手順が終了される。
【００１５】
また、図5(同時に、図4を参照する)は、本考案のインプラント移植操作状態図2であり、特に、脊椎骨5の硬骨質組織箇所に対して、移植手術を行う場合、インプラント2を、案内棒3に沿って、底端にある脊椎骨5(以下、硬骨質組織箇所)の正確位置まで、下へ摺動させ、移植器1の貫通穴11を案内棒3に合わせて、移植器1を、案内棒3に沿って、インプラント2に接触するまで、下へ摺動させ、また、上下に、移植器1を振動させ、移植器1が、インプラント2に衝撃して、脊椎骨5の充填必要箇所に対応し嵌入させ、また、移植器1の回旋摘み12を締めるように回転させて案内棒3を締め、移植器1を移出する時、案内棒3が、一緒に移出され、最後に、穴広げスリーブモジュール4のスリーブ41を取り出し、皮膚7や筋肉組織6において、穴広げの作用やインプラント2の実装である低侵襲手術手順が終了される。
【００１６】
図6と図7は、本考案のインプラント移植操作状態図3とインプラント移植操作状態図4であり、インプラント2は、充填必要な箇所の大きさや形状に応じて、選択されることができ、異なる脊椎骨6の必要とする治療に応じて、適用できる。
【００１７】
そのため、本考案は、より進歩的かつより実用的で、法に従って実用新案登録請求を出願する。
【００１８】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１９】
【図１】本考案の実施例の穴広げ装置構造分解図
【図２】本考案の実施例の案内棒置入操作状態図
【図３】本考案の実施例の各孔径スリーブ操作状態図
【図４】本考案の実施例のインプラント移植操作状態図1
【図５】本考案の実施例のインプラント移植操作状態図2
【図６】本考案の実施例のインプラント移植操作状態図3
【図７】本考案の実施例のインプラント移植操作状態図4
【符号の説明】
【００２０】
1  移植器
11  貫通穴
12  回旋摘み         
13  突出部            
2  インプラント
21  開孔
22  凹部    
3  案内棒
4  穴広げスリーブモジュール
41  スリーブ
5  脊椎骨
6  筋肉組織
7  皮膚
【図１】
0003184283.tif 000003
【図２】
0003184283.tif 000004
【図３】
0003184283.tif 000005
【図４】
0003184283.tif 000006
【図５】
0003184283.tif 000007
【図６】
0003184283.tif 000008
【図７】
0003184283.tif 000009